(57)【要約】【課題】チューブ内の中身を押出すものにおいて、押し出し後に中身がチューブの復元によって、蓋を締めた後、空気が入り込んで酸化や風味が落ちることを防止する。【解決手段】    チューブが挿入される天板及び底板、該両者間へ挿入されたチューブを挟み込む手段、挟み込む手段と共にチューブを前記天板及び底板とが有するバネ状の押圧力を利用するものであって、押圧することで往復動をさせることにより、バーを回動させそして、駆動用の歯車を一方向に回転させることで、被駆動側の歯車を駆動させ、チューブの排出側に押出して移動させる手段と備えたチューブ押出具【選択図】        図１
2006248580.tif 000002
【特許請求の範囲】
【請求項１】
チューブが挿入される天板及び底板、該両者間へ挿入されたチューブを挟み込む手段、挟み込む手段と共にチューブを押圧による往復動をしつつチューブの排出側に押出して移動させる手段と備えたチューブ押出具、
【請求項２】
チューブが挿入される天板及び底板、該両者間へ挿入されたチューブを挟み込む手段、挟み込む手段と共にチューブを前記天板及び底板よりなるバネ状の押圧力を利用しつつ押圧作用の往復動によりチューブの排出側に押出して移動させる手段と備えたチューブ押出具、
【請求項３】
チューブが挿入される天板及び底板、該両者間へ挿入されたチューブを挟み込む手段、挟み込む手段と共にチューブを前記天板及び底板よりなるバネ状の押圧力を利用するものであって、押圧作用の往復動により、駆動用の歯車を回転させ、チューブの排出側に押出して移動させる手段と備えたチューブ押出具、
【請求項４】
チューブが挿入される天板及び底板、該両者間へ挿入されたチューブを挟み込む手段、挟み込む手段と共にチューブを前記天板及び底板とが有するバネ状の押圧力を利用するものであって、押圧作用の往復動により、バーを回動させることで駆動用の歯車を回転させることで、被駆動側の歯車を一方向へ駆動させ、チューブの排出側に押出して移動させる手段と備えたチューブ押出具、
【発明の詳細な説明】
【技術分野】
【０００１】
本発明は、市販の山葵などの食品用や歯磨き等のチューブの押出具に関するものである。
【背景技術】
【０００２】
現在市販されているチューブは、山葵や歯磨き等に多くが使用されており、手でチューブの腹を押すことで適時取り出し使用されている。
しかし、その構造上押し出した後で、凹んだ押圧部がチューブ自体の復元力により戻ることで中に空洞が出来て空気が入ってしまい、例えば、山葵のように香りが飛んでしまったり、内容物が酸化してしまい長持ちがしないという問題点があった。
【０００３】
又チューブの押出し具としては、チューブの尾部に巻き取り具を備えておき巻き取りながら押し出したり、ローラー式によって巻き取るものが一般的であるが、この場合にも、チューブの復元を完全に防止はできない。
【特許文献１】特開平１１−２０８６８９号公報
【特許文献２】実開平５−４７０１８号公報
【発明の開示】
【発明が解決しようとする課題】
【０００４】
本発明において解決しようとする問題点は、チューブを押し出したときに、押し出した部分が復帰してチューブ内に空気が入り込まないようにすることのできる、押出具を提供することである。
【課題を解決するための手段】
【０００５】
上記問題点を解決するために、本発明は、押し出し後にチューブ内へ中身が戻らない手段を備えたチューブ押出具を提供する。
【発明の効果】
【０００６】
本発明のチューブ押出具は、チューブを押し出した後、中身が再びチューブ内へ戻ることを防止することで、蓋をしたあとでチューブ内へ空間が出来ないようにして、中身の酸化や風味の喪失を守り新鮮なチューブ内の材質を保障することである。
【発明を実施するための最良の形態】
【０００７】
本発明は、容易にチューブの中身を容易に押し出すことができると共に押出後チューブ内へ空気が逆に入り込まないようにした押出具を実現した。
【実施例１】
【０００８】
図１に示すものは、本発明の１実施例であるチューブ押出具１によって、チューブ２の中身を押し出している状況を示し、チューブ２が、ほぼV字状又はU字状となる天板１０と底板１１との間に挿入されて、挟みこみ且つ押出すこと移動させて、天板１０と底板１１とが接する場所に設けられたスリット１０２から、チューブ２の端が乗出していくものである。
【０００９】
押出具１は、図に示すように、押出板１０を手などで押圧すると突片１０１が歯車３を回動させるようになっている。押出板１０及び底板１１は、弾力を有する材料で自身形成されているので端部ではバネのようになっており、押圧後戻すと復元力を有するので、反復して、いわゆる往復動を繰り返し、歯車３を一方向へ回転させることが出来る。
この場合、歯３０は図１に示すように、時計方向に曲がっているおり、且つ突片１０１は、歯３０を押圧後は時計方向に回るので、ラチェットと同じ原理で、歯３０上を滑っていくので、回転はさせず、一方向のみへ歯車３を回転させることになる。
【００１０】
歯車３は、図３に示すようになっており、両端に歯３０，３０を供えた歯車３，３があって、その中間には、歯車３、３の回動により回転する胴部３０１がある。即ち、歯車３，３が回動により胴部３０１が回転する。すると、胴部３１と底板１１の間にチューブ２が挟み込まれるので、胴部３１の回転は、チューブ２を図でみて、右方へ押圧しつつ噛み込んで押出されながら移動していく。ここで、突片１０１は、両側に設けられているが、面状にして天板に取り付けてもよい。
【００１１】
図４に示すものは、図３に示すXY断面を表わしているが、胴部３０１は中央に行くに従い、膨らんでおりチューブ２をしっかりと押圧する。仮に、胴部３０１が平面であるとチューブ２の押圧力が分散して押出力に集中し難くなるからである。
又、胴部３０１の対抗面である底板１１面も、図４に示すように、胴部３０１の膨張面に対応して凹面とすれば、更にチューブ２を押圧し易くなる。
【実施例２】
【００１２】
図２に示すものは、他の実施例を示すもので、図１に示すものが底板１１が平板であるのに対し、凸部１２０が設けられており、チューブ２に対し、その中間で支える形式のものである。横型だけでなく縦型にも適用できる。下方には、ローラ１０３、１０３があって、チューブ２を支えているが、このローラ１０３、１０３は別段設けなくてもよいが、あれば、チューブ２をよりガイドすることが可能である。
【実施例３】
【００１３】
又、更に、図４に示すものは、他の実施例であって、チューブ２を噛み込む機構には、駆動用の歯車３を天板１０が押圧される毎に、動かしチューブ２を押圧し噛み込んで移動して行く。
前歯車５０，５１がチューブ２を誘導し、駆動用の歯車３は、バー５０、５１が前記実施例と同じく、繰り返し上下動をすることになって、チューブ２を押し込んでいく。
バー５０，５１は、天板１０のカバー内の収められており、前歯車５１は、単にバー５１は、軸支されているだけでもよい。これに対し、後ろ側の歯３は、チューブ２の押し込み作用を奏する。又、バー５１はなくてもよいが、あれば、押しに対する強度を増すことと円滑な運動ができる。
【００１４】
その機構は、図４の（２）に示すように、駆動用の歯車３には、ラチェット歯車と同じ原理の外歯３１１を持つ外歯車３１０と被駆動用の内歯車３２とが設けられている。被駆動用の歯車も、外歯３１１に対応して、矢張り同じ方向にラチェット歯である内歯３２０が設けてある。これら、両者の歯の間隙は狭いものとなっている。内歯車３２は、図４の（４）に示すように、胴部３０１がつながっている。
【００１５】
この作動は、最初に天板１０を押すと、天板には、バネ板（図示なし）が天板１０の軸支持部かまたは天板１０と天板１０の下側の支持板等の間に板ばねを設けておけば、繰り返し戻って、天板１０は、復元することが出来る。勿論前記実施例のように、天板と底板との折り曲げによる自身の材質によるバネ力を応用とすることも可能である。 
【００１６】
天板１０を押すと、バー５０は、図５の（２）でみて反時計方向に回る。すると、内歯３２０は、内歯車３２が、側板等に支持されていれば、変位はしない。これに対して、外歯３１１を持つ外歯車３１０は、揺動できしかも予め外歯車３１０は、内歯車３２上に載っているので、反時計方向に回れば、噛み合いが始まる。これに対して、時計方向に回るとき（即ち、戻るとき）は、外歯３１１、内歯３２０は噛み合わず滑るので内歯車３２は、回転せずチューブ２には何も作用しない。従って、繰り返し押せばチューブ２は連続して押し込まれていく。
なお、外内歯車の関係は、上記の他、外歯車３１１を真円でなく、楕円形とし、外歯車３１１が回転するときに、内歯車３２上にかぶり噛み合うようにする事も出来る。
【００１７】
又、駆動用の歯車３の上側にあるローラ４が協同するが、この場合には、図４の（１）に示すように、チューブ２が滑っていく板材のような案内部材４０であってもよい。
【００１８】
以上説明してきたように、上記実施例に限定されることなく、本発明の技術思想の範囲内で当業者によって、種々の変形が可能であることは勿論である。
【図面の簡単な説明】
【００１９】
【図１】本発明の１実施例であるチューブ押出具の正面図である。
【図２】本発明の他の１実施例であるチューブ押出具の正面図である。
【図３】本発明の前記の実施例であるチューブを押出している状況を示す斜視図である。
【図４】本発明の他の実施例であるボトルチューブ押出具の正面図である。
【図５】本発明の他の実施例であるチューブ押出具の正面図である。
【符号の説明】
【００２０】
１      チューブ押出具
２      チューブ
３      歯車
３０    歯
３０１  胴部
３１０  外歯車
３２    内歯車
５    バー
【図１】
2006248580.tif 000003
【図２】
2006248580.tif 000004
【図３】
2006248580.tif 000005
【図４】
2006248580.tif 000006
【図５】
2006248580.tif 000007